(57)【特許請求の範囲】
【請求項１】
来訪者が呼び出しを行うための玄関子機と、前記玄関子機からの呼び出しに応答するための居室親機と、公衆通信網を介して前記玄関子機からの呼び出しに対して応答可能な携帯端末とを有するインターホンシステムであって、
前記居室親機は、前記玄関子機からの呼び出しを受けて、前記携帯端末に対してＩＰアドレス情報を入手するための呼出通知信号を携帯電話網を使用して送信するＩＰアドレス要求手段と、呼出先のＩＰアドレス情報に基づいてＳＩＰ仕様の通信を実施するＳＩＰサーバと、前記携帯端末との通信を制御する親機通信制御部とを有する一方、
前記携帯端末は、自身のＩＰアドレス情報を前記ＳＩＰサーバに送信するためのＳＩＰクライアントと、前記呼出通知信号を認識して、前記ＳＩＰクライアントを起動する呼出通知認識部と、前記居室親機との通信を制御する端末通信制御部とを有し、
前記端末通信制御部は、前記呼出通知信号を受信したら前記ＳＩＰクライアントからＩＰアドレス情報を前記ＳＩＰサーバに送信し、前記居室親機と前記携帯端末との間でＳＩＰ仕様の呼出／応答を可能とすることを特徴とするインターホンシステム。
【請求項２】
前記ＩＰアドレス要求手段が、前記呼出通知信号として呼出通知メールを送信するための親機メールクライアントである一方、
前記呼出通知認識部が、前記呼出通知メールを受信する端末メールクライアントであることを特徴とする請求項１記載のインターホンシステム。
【請求項３】
前記ＩＰアドレス要求手段が、前記呼出通知信号として前記携帯端末のスリープ解除信号を送信して呼出発生を通知するスリープ解除信号送出部である一方、
前記呼出通知認識部が、前記スリープ解除信号を認識するスリープ解除信号認識部であることを特徴とする請求項１記載のインターホンシステム。
【請求項４】
前記端末通信制御部は、前記端末メールクライアントが受信したメールが前記居室親機からの前記呼出通知メールであることを認識した場合のみ、前記ＳＩＰクライアントを起動することを特徴とする請求項２記載のインターホンシステム。
【請求項５】
前記携帯端末は、前記呼出通知信号を受信してカウントを開始する端末タイマを有し、
前記端末通信制御部は、前記居室親機へＩＰアドレス情報を送信した後、前記居室親機からのＳＩＰ仕様の呼出信号を受信すること無く前記端末タイマがカウントアップしたら、携帯端末の通信機能を終了させることを特徴とする請求項１乃至４の何れかに記載のインターホンシステム。
【請求項６】
前記居室親機は、前記玄関子機からの呼び出しを受けてカウントを開始する親機タイマを有し、
前記親機通信制御部は、前記親機タイマがカウントアップする前に前記携帯端末のＩＰアドレス情報を受信したら、ＳＩＰによる前記携帯端末の呼び出しを実施し、
ＩＰアドレス情報を受信すること無くタイムアップしたら、呼出制御を実施せず制御を終了することを特徴とする請求項１乃至５の何れかに記載のインターホンシステム。
【発明の詳細な説明】
【技術分野】
【０００１】
本発明はインターホンシステムに関し、特に来訪者の呼び出しに対して携帯端末で応答できるインターホンシステムに関する。
【背景技術】
【０００２】
玄関子機からの呼び出しに対して携帯端末による応答が可能なインターホンシステムがある（例えば、特許文献１参照）。このようなシステムにおいては、インターネットを利用してＳＩＰ通信機能を備えた携帯端末との間で呼出／応答を実施している。この場合、携帯端末のＩＰアドレスは携帯電話網が付与するグローバルＩＰアドレスが割り当てられているため、頻繁にＩＰアドレスが変更される。そのため、携帯端末は定期的に自身のＩＰアドレスを居室親機へ通知して登録し、玄関子機から呼び出しが発生すると居室親機から携帯端末へ登録されているＩＰアドレスを使用して呼び出しを通知できるよう構成されている。
【先行技術文献】
【特許文献】
【０００３】
【特許文献１】特開２０１０−２３９３３２号公報
【発明の概要】
【発明が解決しようとする課題】
【０００４】
上述したように、従来のインターホンシステムにおいては、携帯端末は頻繁に居室親機へ登録情報を送り、居室親機からの呼出通知を常に待っているため、携帯端末のバッテリ消耗が激しいという問題があった。
【０００５】
そこで、本発明は上記問題点を解決するためになされたものであって、定期的にＩＰアドレス情報を入手しなくても、居室親機と携帯端末との間でＳＩＰ仕様の呼出／応答を可能とするインターホンシステムを提供することを目的としている。
【課題を解決するための手段】
【０００６】
上記課題を解決する為に、請求項１の発明は、来訪者が呼び出しを行うための玄関子機と、玄関子機からの呼び出しに応答するための居室親機と、公衆通信網を介して玄関子機からの呼び出しに対して応答可能な携帯端末とを有するインターホンシステムであって、居室親機は、玄関子機からの呼び出しを受けて、携帯端末に対してＩＰアドレス情報を入手するための呼出通知信号を携帯電話網を使用して送信するＩＰアドレス要求手段と、呼出先のＩＰアドレス情報に基づいてＳＩＰ仕様の通信を実施するＳＩＰサーバと、携帯端末との通信を制御する親機通信制御部とを有する一方、携帯端末は、自身のＩＰアドレス情報をＳＩＰサーバに送信するためのＳＩＰクライアントと、呼出通知信号を認識して、ＳＩＰクライアントを起動する呼出通知認識部と、居室親機との通信を制御する端末通信制御部とを有し、端末通信制御部は、呼出通知信号を受信したらＳＩＰクライアントからＩＰアドレス情報をＳＩＰサーバに送信し、居室親機と携帯端末との間でＳＩＰ仕様の呼出／応答を可能とすることを特徴とする。
この構成によれば、携帯端末は居室親機からの携帯電話網を使用した呼出通知信号を受信した場合に初めて携帯端末のＳＩＰクライアントが起動してＩＰアドレス情報を居室親機に送るため、常時ＩＰアドレスを居室親機に通知しなくても、呼び出しに対する応答をＳＩＰ仕様の通信により実施できる。よって、無駄な通信がなくなり携帯端末のバッテリーの消耗スピードを遅くすることができるし、玄関子機からの呼び出しに対して安価に応答することができる。
【０００７】
請求項２の発明は、請求項１に記載の構成において、ＩＰアドレス要求手段が、呼出通知信号として呼出通知メールを送信するための親機メールクライアントである一方、呼出通知認識部が呼出通知メールを受信する端末メールクライアントであることを特徴とする。
この構成によれば、携帯端末は呼出通知メールを受信した場合に初めて携帯端末のＳＩＰクライアントが起動してＩＰアドレス情報を居室親機に送る。よって、既存の信号を使用することで確実にＩＰアドレス情報を送信して通信を開始できる。
【０００８】
請求項３の発明は、請求項１に記載の構成において、ＩＰアドレス要求手段が、呼出通知信号として携帯端末のスリープ解除信号を送信して呼出発生を通知するスリープ解除信号送出部である一方、呼出通知認識部が、スリープ解除信号を認識するスリープ解除信号認識部であることを特徴とする。
この構成によれば、携帯端末は居室親機からスリープ解除信号を受信した場合に初めて携帯端末のＳＩＰクライアントが起動してＩＰアドレス情報を居室親機に送る。よって、既存の信号を使用することで確実にＩＰアドレス情報を送信して通信を開始できる。
【０００９】
尚、スリープ解除信号は、携帯端末がスリープ状態にあっても送信した情報の表示等を行いパケット通信を実施する公知の信号である。
【００１０】
請求項４の発明は、請求項２に記載の構成において、端末通信制御部は、端末メールクライアントが受信したメールが居室親機からの呼出通知メールであることを認識した場合のみ、ＳＩＰクライアントを起動することを特徴とする。
この構成によれば、携帯端末は居室親機からの呼出通知メールを受信した場合のみＳＩＰクライアントを起動させるため、ＳＩＰクライアントがむやみに起動することが無く、バッテリーの消耗スピードを遅らせることができる。
【００１１】
請求項５の発明は、請求項１乃至４の何れかに記載の構成において、携帯端末は、呼出通知信号を受信してカウントを開始する端末タイマを有し、端末通信制御部は、居室親機へＩＰアドレス情報を送信した後、居室親機からのＳＩＰ仕様の呼出信号を受信すること無く端末タイマがカウントアップしたら、携帯端末の通信機能を終了させることを特徴とする。
この構成によれば、携帯端末が居室親機とＳＩＰにより通信を開始する時間を限定することで、携帯端末が通信できない状況にある場合等すぐに繋がらない状況では通信機能を終了するため、バッテリーの消耗スピードを遅らせることができる。
【００１２】
請求項６の発明は、請求項１乃至５の何れかに記載の構成において、居室親機は、玄関子機からの呼び出しを受けてカウントを開始する親機タイマを有し、親機通信制御部は、親機タイマがカウントアップする前に携帯端末のＩＰアドレス情報を受信したら、ＳＩＰによる携帯端末の呼び出しを実施し、ＩＰアドレス情報を受信すること無くタイムアップしたら、呼出制御を実施せず制御を終了することを特徴とする。
この構成によれば、玄関子機から呼び出しがあった際に、居室親機は携帯端末のＩＰアドレスを入手して携帯端末を呼び出すまでの一定時間を確保するが、一定時間が経過したら呼出制御を終了するため、携帯端末の応答待ち時間が長引くことで、来訪者に迷惑を掛けるような事態を防止できる。
【発明の効果】
【００１３】
本発明によれば、居室親機に親機メールクライアントを設けた構成においては、携帯端末は呼出通知メールを受信した場合に初めて携帯端末のＳＩＰクライアントが起動してＩＰアドレス情報を居室親機に送るため、常時ＩＰアドレスを居室親機に通知しなくても、呼び出しに対する応答をＳＩＰ仕様の通信により実施できる。よって、無駄な通信がなくなり携帯端末のバッテリーの消耗スピードを遅くすることができるし、玄関子機からの呼び出しに対して安価に応答することができる。
また、居室親機に携帯端末起動信号生成部を設けた構成においては、携帯端末はスリープ解除信号を受信した場合に初めて携帯端末のＳＩＰクライアントが起動してＩＰアドレス情報を居室親機に送るため、同様に無駄な通信がなくなり携帯端末のバッテリーの消耗スピードを遅くすることができるし、玄関子機からの呼び出しに対して安価に応答することができる。
【図面の簡単な説明】
【００１４】
【図１】本発明に係るインターホンシステムの一例を示す構成図であり、個々の機器をブロック図で示している。
【図２】インターホンシステムの他の例を示す構成図であり、個々の機器をブロック図で示している。
【発明を実施するための形態】
【００１５】
以下、本発明を具体化した実施の形態を、図面を参照して詳細に説明する。図１は本発明に係るインターホンシステムの構成を示す構成図であり、個々の機器をブロック図で示している。図１において、１は来訪者が呼び出しを行うための玄関子機、２は玄関子機１からの呼び出しに応答するための居室親機、３は公衆通信網を介して玄関子機１からの呼び出しに対して応答可能な携帯端末である。
【００１６】
玄関子機１と居室親機２とは伝送線Ｌ１で接続され、居室親機２は家庭内ＬＡＮ４、インターネット等の汎用通信網Ｎ１、及び携帯電話網Ｎ２を介して携帯端末３と無線通信を可能としている。尚、汎用通信網Ｎ１及び携帯電話網Ｎ２は何れも公衆通信網であり、双方は殆どが共通のネットワークで構成されている。
また、５は無線アクセスポイントであり、汎用通信網Ｎ１上の複数箇所に接続されている。また、この発明に使用される携帯端末３は、例えばAndroid（登録商標）端末等のスマートフォンが対応し、回線通信による電話機能に加えてこの無線アクセスポイント５を介することでＩＰ電話として使用可能とするＳＩＰ通信機能を備えている。
【００１７】
玄関子機１は、来訪者が居住者を呼び出すための子機操作部１０、来訪者が居住者と通話するための子機マイク１１及び子機スピーカ１２、居室親機２と通信を行うための子機通信ＩＦ１３、玄関子機１の各回路を制御するための子機ＣＰＵ１４等を備えている。
【００１８】
居室親機２は、来訪者からの呼出に応答する操作や各種設定操作するための親機操作部２１、来訪者と通話するための親機マイク２２及び親機スピーカ２３、玄関子機１と通信を行い、無線アクセスポイント５及び携帯端末３と通信するための親機通信ＩＦ２４、電子メールの作成及び送受信を行う親機メールクライアント２５と、メールアドレスを保存するためのアドレスメモリ２６、携帯端末３のＩＰアドレス情報を登録するＳＩＰサーバ２７、来訪者からの呼び出しから携帯端末３の呼び出しを行うまでの時間を待つための親機タイマ２８、居室親機２の各回路を制御する親機ＣＰＵ２９等を備えている。
【００１９】
携帯端末３は、呼出／応答操作する端末操作部３１、来訪者と通話するための端末マイク３２及び端末スピーカ３３、居室親機２からの電子メールの受信、メールの作成及び送信を行う端末メールクライアント３４、居室親機２へＩＰアドレス情報を送り、居室親機２とＳＩＰに基づく通話を行うためのＳＩＰクライアント３５、居室親機２へ携帯端末３の情報を送った後、居室親機２からの応答時間を管理する端末タイマ３６、携帯端末３の各回路を制御する端末ＣＰＵ３７、携帯電話アンテナ３８を介して携帯電話の通信サービスを提供している通信事業者と通信すると共に、無線ＬＡＮアンテナ３９を介して無線ＬＡＮの電波を無線アクセスポイント５との間で送受信して居室親機２と通信するための端末通信ＩＦ４０等を備えている。
【００２０】
このように構成されたインターホンシステムの動作は以下のようである。玄関子機１の子機操作部１０から呼び出しが行われると、子機ＣＰＵ１４から呼出信号が出力され、子機通信ＩＦ１３を介して居室親機２に伝送される。
居室親機２では、親機通信ＩＦ２４を介して親機ＣＰＵ２９が呼出信号を受信したら、アドレスメモリ２６に保存されている特定の携帯端末３のメールアドレスに対して、親機メールクライアント２５を用いてメール（呼出通知メール）を送信する。同時に、親機タイマ２８を用いて所定時間（例えば３秒）のカウントを開始して、携帯端末３からの応答を待つ。
【００２１】
このメールは、親機ＩＦ２４、家庭内ＬＡＮ４、携帯電話網Ｎ２を介して携帯端末３に送信される。携帯端末３では、このメールを携帯電話アンテナ３８で受信し、端末通信ＩＦ４０を介して端末ＣＰＵ３７に送信される。
端末ＣＰＵ３７は、端末メールクライアント３４を使用して受信したメールが居室親機２が送信した呼出通知メールであると認識すると、ＳＩＰクライアント３５を起動して携帯端末３のＩＰアドレス等の携帯端末情報（ＳＩＰＵＲＩ情報）を出力させて、無線ＬＡＮアンテナ３９から送信させる。この携帯端末情報は、無線アクセスポイント５、汎用通信網Ｎ１を介して居室親機２に送信される。
尚、メールが呼出通知メールであることは、例えば、添付された居室親機２のＩＤ情報で  認識できる。
【００２２】
携帯端末３からの携帯端末情報を待っていた居室親機２は、この携帯端末情報を受信したら、親機ＣＰＵ２９がＳＩＰサーバ２７へ携帯端末３のＩＰアドレス情報を登録する。尚、ＩＰアドレス情報を受信する前に親機タイマ２８がタイムアップした場合は、親機ＣＰＵ２９は携帯端末３の応答待ち状態を終了し、待受状態に戻る。
【００２３】
ＩＰアドレス情報を登録した親機ＣＰＵ２９は、引き続き登録されている呼出先に対して、ＳＩＰに基づく呼出信号を送信する。この信号は、汎用通信網Ｎ１、無線アクセスポイント５を介して携帯端末３に送信される。
【００２４】
一方、ＳＩＰクライアント３５を起動した端末ＣＰＵ３７は、端末タイマ３６による所定時間（例えば５秒）のカウントを開始し、居室親機２からＳＩＰに基づく呼出信号を待つ。端末タイマ３６がカウントアップする前に、ＳＩＰに基づく呼出信号を受信したら、端末タイマ３６のカウントは終了する。尚、端末タイマ３６で設定された時間が経過しても、ＳＩＰに基づく呼出信号を受信せず、通信が開始されない場合は居室親機２との通信制御を終了する。
【００２５】
端末タイマ３６がカウントアップする前に、無線ＬＡＮアンテナ３９を介して呼出信号を受信した携帯端末３は、携帯端末３の使用者により端末操作部３１が応答操作されることでＳＩＰに基づく応答信号が返信される。この応答信号は、無線ＬＡＮアンテナ３９、無線アクセスポイント５、汎用通信網Ｎ１を介して居室親機２に送信される。
この応答信号を認識した親機ＣＰＵ２９は、居室親機２を介して玄関子機１と携帯端末３との間の通話路を形成する。こうして、携帯端末３のマイク３２及びスピーカ３３と玄関子機１のマイク１１及びスピーカ１２との間で通話が可能となり、来訪者からの呼び出しに対して、外出等で居室親機２から応答できない場合でも携帯端末３を使用して居住者が応答することができる。
【００２６】
このように、携帯端末３は居室親機２からの携帯電話網Ｎ２を使用したメールを受信した場合に初めて携帯端末３のＳＩＰクライアント３５が起動してＩＰアドレス情報を居室親機２に送るため、常時ＩＰアドレスを居室親機２に通知しなくても、呼び出しに対する応答をＳＩＰ仕様の通信により実施できる。よって、ＳＩＰクライアント３５がむやみに起動することが無いし無駄な通信がなくなるため、携帯端末３のバッテリーの消耗スピードを遅くすることができる。また、玄関子機１からの呼び出しに対して安価に応答することができる。
そして、既存のメール機能を使用してＩＰアドレス情報を送信するため、確実にＩＰアドレス情報を送信してＳＩＰ通信を開始できる。
【００２７】
また、玄関子機１から呼び出しがあった際に、居室親機２は携帯端末３のＩＰアドレスを入手して携帯端末３を呼び出すまでの一定時間を確保するが、一定時間が経過したら呼出制御を終了するため、携帯端末３の応答待ち時間が長引くことで、来訪者に迷惑を掛けたり、他の機能の障害になるような事態を防止できる。
更に、携帯端末３が居室親機２とＳＩＰにより通信を開始するまでの時間を限定することで、携帯端末３が通信できない状況にある場合等すぐに繋がらない状況では通信機能を終了するため、バッテリーの消耗スピードを遅らせることができる。
【００２８】
尚、図１において居室親機２に組み込まれている携帯端末３と通信する機能は居室親機２の本体とは別体としても良い。具体的に、親機メールクライアント２５、アドレスメモリ２６、ＳＩＰサーバ２７、親機タイマ２８、親機通信ＩＦ２４の中のＬＡＮ接続機能等は、居室親機２の通話機能を備えた本体と分離し、別体として形成しても良い。そうすることで、従来の居室親機を大きく変更すること無く、アダプタを接続する程度の変更で上記構成を実現できる。
【００２９】
図２はインターホンシステムの他の形態を示している。上記図１とは、居室親機２が親機メールクライアントを持たない点、携帯端末３が端末メールクライアントを持たない点が大きく相違している。以下具体的に説明する。尚、同一の構成要素には同一の符号を付与して説明を省略する。
居室親機２は、親機操作部２１、親機マイク２２及び親機スピーカ２３、親機通信ＩＦ２４、ＳＩＰサーバ２７、親機タイマ２８、親機ＣＰＵ２９に加えて、携帯端末３にスリープ解除信号を出力するスリープ解除信号送出部２５ａを備えている。尚、このスリープ解除信号送出部２５ａは、親機ＣＰＵ２９と一体としても良い。
【００３０】
携帯端末３は、操作部３１、親機マイク３２及び親機スピーカ３３、ＳＩＰクライアント３５、端末タイマ３６、端末ＣＰＵ３７、携帯電話アンテナ３８、無線ＬＡＮアンテナ３９、端末通信ＩＦ４０に加えて、スリープ解除信号認識部３４ａを備えている。尚、このスリープ解除信号認識部３４ａは、端末ＣＰＵ３７と一体としても良い。
【００３１】
このように構成されたインターホンシステムの動作は以下のようである。玄関子機１の子機操作部１０から呼び出しが行われると、子機ＣＰＵ１４から呼出信号が出力され、子機通信ＩＦ１３を介して居室親機２に伝送される。
居室親機２では、親機通信ＩＦ２４を介して親機ＣＰＵ２９が呼出信号を受信したら、予め番号が登録されている携帯端末３に対して呼出通知信号としてのスリープ解除信号を送信する。同時に、親機タイマ２８を用いて所定時間のカウントを開始し、携帯端末３からの応答を待つ。
【００３２】
スリープ解除信号は、親機ＩＦ２４、家庭内ＬＡＮ４、携帯電話網Ｎ２を介して携帯端末３に送信され、携帯電話アンテナ３８、端末通信ＩＦ４０を介して端末ＣＰＵ３７で受信され、スリープ解除信号認識部３４ａで認識される。
スリープ解除信号を受けた端末ＣＰＵ３７は、スリープ状態にあれば起動する。そして、スリープ解除信号認識部３４ａが居室親機２からのスリープ解除信号であると認識すると、端末ＣＰＵ３７は居室親機２からの呼出通知信号であると認識し、ＳＩＰクライアント３５を起動して携帯端末３のＩＰアドレス等の携帯端末情報（ＳＩＰＵＲＩ情報）を出力させて、無線ＬＡＮアンテナから送信される。この携帯端末情報は、無線ＬＡＮアクセスポイント５、汎用通信網Ｎ１を介して居室親機２に送信される。
尚、スリープ解除信号が呼出通知信号であることは、例えば、添付された居室親機２のＩＤ情報等で認識できる。
【００３３】
携帯端末３から携帯端末情報を待っていた居室親機２は、この携帯端末情報を受信したら、親機ＣＰＵ２９がＳＩＰサーバ２７へ携帯端末３のＩＰアドレス情報を登録する。尚、ＩＰアドレス情報を受信する前に親機タイマ２８がタイムアップした際は、親機ＣＰＵ２９は携帯端末３の応答待ち状態を終了し、待受状態に戻る。
【００３４】
ＩＰアドレス情報を登録した親機ＣＰＵ２９は、引き続き登録された呼出先に対してＳＩＰに基づく呼出信号を送信する。この信号は、汎用通信網Ｎ１、無線アクセスポイント５を介して携帯端末３に送信される。
【００３５】
一方、ＳＩＰクライアント３５を起動した端末ＣＰＵ３７は、端末タイマ３６による所定時間のカウントを開始し、居室親機２からＳＩＰに基づく呼出信号を待つ。端末タイマ３６がカウントアップする前に、ＳＩＰに基づく呼出信号を受信したら、端末タイマ３６のカウントは終了する。尚、端末タイマ３６で設定された時間が経過しても、ＳＩＰに基づく呼出信号を受信せず、通信が開始されない場合は、居室親機２との通信制御を終了する。
【００３６】
端末タイマ３６がカウントアップする前に、無線ＬＡＮアンテナ３９を介して呼出信号を受信した携帯端末３では、携帯端末３の使用者により端末操作部３１が応答操作されることでＳＩＰに基づく応答信号が返信される。この応答信号は、無線ＬＡＮアンテナ３９、無線アクセスポイント５、汎用通信網Ｎ１を介して居室親機２に送信される。
この応答信号を認識した親機ＣＰＵ２９は、居室親機２を介して玄関子機１と携帯端末３との間の通話路を形成する。こうして、携帯端末３のマイク３２及びスピーカ３３と玄関子機１のマイク１１及びスピーカ１２との間で通話が可能となり、来訪者からの呼び出しに対して、外出等で居室親機２から応答できない場合でも携帯端末３を使用して居住者が応答することができる。
【００３７】
このように、携帯端末３は居室親機２からの携帯電話網Ｎ２を使用した呼出通知信号としてのスリープ解除信号を受信した場合に、初めて携帯端末３のＳＩＰクライアント３５が起動してＩＰアドレス情報を居室親機２に送るため、常時ＩＰアドレスを居室親機２に通知しなくても、呼び出しに対する応答をＳＩＰ仕様の通信により実施できる。よって、ＳＩＰクライアント３５がむやみに起動することが無いし、無駄な通信がなくなるため、携帯端末３のバッテリーの消耗スピードを遅くすることができる。また、玄関子機１からの呼び出しに対して安価に応答することができる。
そして、携帯端末３はスリープ解除信号を受信した場合に初めて携帯端末３のＳＩＰクライアント３５が起動してＩＰアドレス情報を居室親機２に送る。よって、既存の信号を使用することで確実にＩＰアドレス情報を送信して通信を開始できる。
【００３８】
また、玄関子機１から呼び出しがあった際に、居室親機２は携帯端末３のＩＰアドレスを入手して携帯端末３を呼び出すまでの一定時間を確保するが、一定時間が経過したら呼出制御を終了するため、携帯端末３の応答待ち時間が長引くことで、来訪者に迷惑を掛けたり、他の機能の障害になるような事態を防止できる。
更に、携帯端末３が居室親機２とＳＩＰにより通信を開始するまでの時間を限定することで、携帯端末３が通信できない状況にある場合等すぐに繋がらない状況では通信機能を終了するため、バッテリーの消耗スピードを遅らせることができる。
【００３９】
尚、上記実施例では、戸建インターホンシステムを例に説明しているが、集合住宅インターホンシステムの集合玄関機からの呼び出しに対しても適用できるものである。
【符号の説明】
【００４０】
１・・玄関子機、２・・居室親機、３・・携帯端末、４・・家庭内ＬＡＮ、５・・無線アクセスポイント、２４・・親機通信ＩＦ、２５・・親機メールクライアント、２５ａ・・スリープ解除信号送出部、２６・・アドレスメモリ、２７・・ＳＩＰサーバ、２８・・親機タイマ、２９・・親機ＣＰＵ（親機通信制御部）、３４・・端末メールクライアント、３４ａ・・スリープ解除信号認識部、３５・・ＳＩＰクライアント、３６・・端末タイマ、３７・・端末ＣＰＵ（端末通信制御部）、４０・・端末通信ＩＦ、Ｎ１・・汎用通信網、Ｎ２・・携帯電話網。
【図１】
0005785508.tif 000002
【図２】
0005785508.tif 000003